(57)【要約】      （修正有）【課題】Ｔ５／Ｔ８電子安定器と互換性を有するＬＥＤランプを提供する。【解決手段】ＬＥＤランプは管体を備える。管体は２個の電極２０を有する。管体内には２個のプレ起動回路３０が設置されている。各プレ起動回路３０は一端が各電極に接続されており、他端が整流回路４０に接続されている。整流回路は電圧測定回路５０に接続されている。集積回路６０は一端が電圧測定回路に接続され、他端が電圧制御スイッチ７０に接続されている。ＬＥＤストリングライト８０は一端が整流回路に接続され、他端が電圧制御スイッチに接続されている。これにより、ＬＥＤストリングライトは、起動電流の損壊を受けず、点灯時間を短縮でき、ＬＥＤランプを確実に起動できる。【選択図】図３
0003192456.tif 000002
【実用新案登録請求の範囲】
【請求項１】
Ｔ５/Ｔ８電子安定器と互換性を有するＬＥＤランプであって、
管体、二つのプレ起動回路、整流回路、電圧測定回路、集積回路、電圧制御スイッチ、およびＬＥＤストリングライトを備え、
前記管体は両端に２個の電極がそれぞれ設けられており、
二つの前記プレ起動回路は前記管体内に設けられており、一端が前記管体の前記電極にそれぞれ接続されており、
前記整流回路は複数のファーストリカバリーダイオードを有し、
前記整流回路は一端が各前記プレ起動回路の一端に接続されており、
前記電圧測定回路は一端が前記整流回路の他端に接続されており、
前記集積回路は、前記整流回路と相互に接続されており、入力端及び出力端を有し、前記入力端が前記電圧測定回路の他端と相互に接続されており、
前記電圧制御スイッチは、前記集積回路の前記出力端と接続されており、
前記ＬＥＤストリングライトは、複数のＬＥＤコンポーネントが直列接続することで構成されており、一端が前記整流回路に接続されており、他端が前記電圧制御スイッチに直列接続されていることを特徴とするＬＥＤランプ。
【請求項２】
前記プレ起動回路は、集合式ヒューズを有し、
前記集合式ヒューズは、２個の電極間に並列に接続されていることを特徴とする請求項１に記載のＬＥＤランプ。
【請求項３】
前記電圧測定回路は第一電気抵抗及び第二電気抵抗が直列に接続することで構成されており、
前記集積回路の前記入力端は、前記第一電気抵抗と前記第二電気抵抗との間に接続されていることを特徴とする請求項１に記載のＬＥＤランプ。
【請求項４】
前記電圧測定回路はダイオードをさらに有し、
前記ダイオード、前記第一電気抵抗、及び前記第二電気抵抗は、相互に直列に接続されていることを特徴とする請求項３に記載のＬＥＤランプ。
【請求項５】
前記電圧制御スイッチは、金属酸化物半導体電界効果トランジスタであることを特徴とする請求項１に記載のＬＥＤランプ。
【請求項６】
保護回路をさらに備え、
前記保護回路は、前記電圧制御スイッチと並列に接続されており、各前記ＬＥＤストリングライトと直列に接続されていることを特徴とする請求項１に記載のＬＥＤランプ。
【請求項７】
前記保護回路は、２個の電気抵抗が直列接続することで構成されていることを特徴とする請求項６に記載のＬＥＤランプ。  
【考案の詳細な説明】
【技術分野】
【０００１】
本考案は、ＬＥＤランプの電気回路に関する。
【背景技術】
【０００２】
一般のランプソケットは、Ｔ５或いはＴ８ランプなどの従来のランプの点灯に用いられる。Ｔ５或いはＴ８ランプに用いられる回路のブロックチャートは、図１に示すように、ランプソケット１上に電子安定器２が設置されている。これによりＴ５或いはＴ８などの従来のランプ３を点灯させる。Ｔ５或いはＴ８などの従来のランプ３は、瞬間的な高電圧を通さなければ、フィラメントを加熱し、管内気体をイオン化し、ランプ３を点灯して発光させることはできない。
【０００３】
よって、ＬＥＤランプをランプソケットに挿入して設置すると、電子安定器が起動される。これにより、電子安定器及びＬＥＤランプは、起動時の瞬間、高電圧及び高電流を受けることとなり、電子安定器或いはＬＥＤランプは過熱により損壊する。よって、ランプソケット１に、従来のＬＥＤランプを用いることはできない。
【先行技術文献】
【特許文献】
【０００４】
【特許文献１】特開２００２−１６４５８０号公報
【考案の概要】
【考案が解決しようとする課題】
【０００５】
しかし、上述した考案は使用上に欠点があり、改善する必要がある。その原因は下記の通りである。
【０００６】
Ｔ５或いはＴ８などの従来のランプは、瞬間的な高電圧を通さなければ、フィラメントを加熱し、管内気体をイオン化し、ランプを点灯して発光させることができないため、ＬＥＤランプをランプソケットに挿入して設置すると、電子安定器が起動される。
これにより、電子安定器及びＬＥＤランプは、起動時の瞬間高電圧及び高電流を受けることとなり、電子安定器或いはＬＥＤランプは過熱により損壊するおそれがある。
【０００７】
本考案は、上述の問題に鑑みてなされたものであり、その目的は、ＬＥＤランプの完全起動を確保し、点灯時間を短縮可能なＬＥＤランプを提供することにある。
【課題を解決するための手段】
【０００８】
本考案によるＬＥＤランプは、Ｔ５/Ｔ８電子安定器と互換性を有し、ＬＥＤランプの完全起動を確保し、点灯時間を短縮できるという長所を有する。
本考案によるＬＥＤランプは、２個のプレ起動回路、整流回路、電圧測定回路、集積回路、電圧制御スイッチ、および少なくとも１個のＬＥＤストリングライトを備える。
管体は両端に２個の電極がそれぞれ設けられている。二つのプレ起動回路は管体内に設けられており、一端が管体の電極にそれぞれ接続されている。整流回路は複数のファーストリカバリーダイオードを有する。整流回路は一端が各プレ起動回路の一端に接続されている。電圧測定回路は一端が整流回路の他端に接続されている。集積回路は、整流回路と相互に接続されており、入力端及び出力端を有し、入力端が電圧測定回路の他端と相互に接続されている。電圧制御スイッチは、集積回路の出力端と接続されている。ＬＥＤストリングライトは、複数のＬＥＤコンポーネントが直列接続することで構成されており、一端が整流回路に接続されており、他端が電圧制御スイッチに直列接続されている。
【０００９】
本考案によるＬＥＤランプは、電圧測定回路を通して電圧を測定し、集積回路により電圧制御スイッチの導通をコントロールし、ＬＥＤストリングライトを保護して、高圧及び大電流による損壊を回避でき、安定器の完全起動を確保し、誤判断による過負荷ショート、或いは回路開通による安定器の閉鎖、或いは誤動作を防止することができる。
【図面の簡単な説明】
【００１０】
【図１】従来のＴ５/Ｔ８ランプソケットの回路を示すブロックチャートである。
【図２】本考案の第一実施形態によるＬＥＤランプを示す外観図である。
【図３】本考案の第一実施形態によるＬＥＤランプを示す回路図である。
【図４】本考案の第一実施形態によるＬＥＤランプを示すブロックチャートである。
【考案を実施するための形態】
【００１１】
（一実施形態）
本考案の一実施形態によるＴ５/Ｔ８電子安定器と互換性があるＬＥＤランプを図面に基づいて説明する。
本考案第一実施形態の外観図、回路図及びブロックチャートである図２〜４に示すように、Ｔ５/Ｔ８電子安定器と互換性があるＬＥＤランプは、管体１０、プレ起動回路３０、整流回路４０、電圧測定回路５０、集積回路６０、電圧制御スイッチ７０を備える。
【００１２】
管体１０両端には、それぞれ２個の電極２０を備え、これによりＴ５/Ｔ８ランプソケット２００上に挿入して接続することができる。
管体１０内にはさらに、２個のプレ起動回路３０を備える。
【００１３】
各プレ起動回路３０一端は、電極２０にそれぞれ接続されており、プレ起動回路３０は、集合式ヒューズ３１を備え、集合式ヒューズ３１は、２個の電極２０間に並列接続する。
【００１４】
整流回路４０は、複数のファーストリカバリーダイオード４１を備えて構成するブリッジ整流回路で、整流回路４０一端は、各プレ起動回路３０の一端に接続する。
【００１５】
電圧測定回路５０の一端は、整流回路４０の反対端に接続する。
電圧測定回路５０は、第一電気抵抗５１及び第二電気抵抗５２が直列接続して構成され、しかも第一電気抵抗５１はさらに、ダイオード５３を直列接続し、保護用とする。
【００１６】
集積回路６０は、整流回路４０と相互に接続し、入力端６１及び出力端６２を備える。
入力端６１は、第一電気抵抗５１と第二電気抵抗５２との間に接続する。
【００１７】
電圧制御スイッチ７０は、集積回路６０と相互に接続し、電圧制御スイッチ７０は、金属酸化物半導体電界効果トランジスタ部品である。
【００１８】
少なくとも１個のＬＥＤストリングライト８０は、複数のＬＥＤコンポーネント８１が直列接続して構成され、ＬＥＤストリングライト８０一端は、整流回路４０に接続し、反対端は、電圧制御スイッチ７０と直列接続を形成する。
【００１９】
保護回路９０は、電圧制御スイッチ７０と相互に並列接続し、しかもと各ＬＥＤストリングライト８０は、直列接続を形成する。
保護回路９０は、２個の電気抵抗９１が直列接続して構成し、こうして保護回路電気抵抗により、電子式安定器の起動時に発生する高圧を吸収し、ＬＥＤストリングライト８０の過熱による損壊を回避することができる。
【００２０】
本考案ＬＥＤランプを、Ｔ５/Ｔ８ランプソケット２００上に取り付け、電源スイッチを起動すると、ランプソケット２００内の電子安定器２０１は、瞬間高電圧を生じ、電圧が生じた電流は、電極２０を経て、プレ起動回路３０に伝えられる。
【００２１】
プレ起動回路３０中の集合式ヒューズ３１は、電気抵抗ュネを備えるため、Ｔ５/Ｔ８ランプ内フィラメントに置換でき、これにより電子安定器２０１は、ショートにより損壊することはない。
こうして、蛍光光ランプフィラメントによる、電子式安定器の正確起動、及び電流異常の保護作用を、効果的にシミュレーションすることができる。
前記の電流はさらに、整流回路４０へ流れ、交流電力を直流電力に転換後、さらに各ＬＥＤストリングライト８０、電圧測定回路５０及び集積回路６０等へ流れる。
電圧測定回路５０は、集積回路６０に流入する電圧を測定でき、これにより集積回路６０は、電圧制御スイッチ７０を触発し導通を形成するかを判断することができる。
【００２２】
電圧制御スイッチ７０が導通を形成すると、各ＬＥＤストリングライト８０は、通路形成により導電し、こうして発光する。
電圧制御スイッチ７０は保護回路９０を並列接続するため、電圧制御スイッチ７０が予熱段階で未導通時には、保護回路９０はこの時発生する高圧を吸収することができる。
こうして、ＬＥＤストリングライト８０の過熱による損壊を回避することができる。
【００２３】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００２４】
１  ランプソケット、
２  電子安定器、
３  ランプ、
１０  管体、
２０  電極、
３０  プレ起動回路、
３１  集合式ヒューズ、 
４０  整流回路、
４１  ファーストリカバリーダイオード、
５０  電圧測定回路、
５１  第一電気抵抗、
５２  第二電気抵抗、
５３  ダイオード、
６０  集積回路、
６１  入力端、
６２  出力端、 
７０  電圧制御スイッチ、
８０  ＬＥＤストリングライト、
８１  ＬＥＤコンポーネント、
９０  保護回路、
９１  電気抵抗、
２００  ランプソケット、
２０１  電子安定器。
【図１】
0003192456.tif 000003
【図２】
0003192456.tif 000004
【図３】
0003192456.tif 000005
【図４】
0003192456.tif 000006